(57)【特許請求の範囲】
【請求項１】
中央部に便受器を収容する上端開口凹部を設けた便器本体の該凹部上縁後端にシャワー取付け凹部を設け、該凹部にシャワーノズルの支持枠を嵌着した構成であって、該シャワー取付け凹部両側壁または該支持枠両側面には一条または複数条の縦溝または縦突条を設け、該支持枠両側面または該シャワー取付け凹部両側壁には複数条または一条の縦突条または縦溝を設け、該シャワー取付け凹部の縦溝または縦突条に該支持枠の縦突条または縦溝を嵌合することによって該支持枠が前後位置調節可能かつ着脱可能に取付けられていることを特徴とするシャワー付便器
【請求項２】
該支持枠は上向きノズル孔が一個または複数個設けられている前面板と、該前面板の周縁から後方に差出されている両側板と、該ノズル孔を覆って該前面板の背面から後方に差出されている筒状接続部と、該筒状接続部に嵌着され背面から水供給ホースが接続される接続短管が差出されている前面開口筒状接続部とからなり、該筒状接続部と該前面開口筒状接続部との間にはシール材が介在している請求項１に記載のシャワー付便器
【発明の詳細な説明】
【０００１】
【産業上の利用分野】
本発明はシャワーを付した便器、特に携帯用便器に関するものである。
【０００２】
【従来の技術】
従来、老人、病人等に用いられる携帯用便器にはシャワーを付したものが提供されていないが、例えば便所に設置される便器にあっては、図８に示すように便器本体(42)の後縁部に嵌着溝(43)を設け、該嵌着溝(43)にノズル(44)を付した支持板(45)を嵌着し、該ノズル(44)を便器本体(42)の後縁凹部(46)を介して便器本体(42)内に臨出させるシャワー付便器が提案されている（実開平５−８１３７７号公報）。
【０００３】
【発明が解決しようとする課題】
上記シャワー付便器にあっては、ノズルの位置が調節出来ないので、使用者の体形により、あるいは洗浄局所によって洗浄しにくい場合もある。
【０００４】
【課題を解決するための手段】
本発明は上記従来の課題を解決するための手段として、中央部に便受器(8) を収容する上端開口凹部(3) を設けた便器本体(2) の該凹部(3) 上縁後端にシャワー取付け凹部(17)を設け、該凹部(17)にシャワーノズル(19)の支持枠(20)を嵌着した構成であって、該シャワー取付け凹部(17)両側壁または該支持枠(20)両側面には一条または複数条の縦溝(28)または縦突条を設け、該支持枠(20)両側面または該シャワー取付け凹部(17)両側壁には複数条または一条の縦突条(20D) または縦溝を設け、該シャワー取付け凹部(17)の縦溝(28)または縦突条に該支持枠(20)の縦突条(20D) または縦溝を嵌合することによって該支持枠(20)が前後位置調節可能かつ着脱可能に取付けられているシャワー付便器(1) を提供するものである。
該支持枠(20)は上向きノズル孔(22)が一個または複数個設けられている前面板(20A) と、該前面板(20A) の周縁から後方に差出されている両側板(20B,20B) と、該ノズル孔(22)を覆って該前面板(20A) の背面から後方に差出されている筒状接続部(21)と、該筒状接続部(21)に嵌着され背面から水供給ホース(25)が接続される接続短管(24)が差出されている前面開口筒状接続部(23)とからなり、該筒状接続部(21)と該前面開口筒状接続部(23)との間にはシール材(26)が介在している態様が好ましい。
【０００５】
【作用】
シャワーノズル(19)の支持枠(20)の両側面の縦突条(20D) または縦溝を便器本体(2) のシャワー取付け凹部(17)の両側壁の縦溝(28)または縦突条の一つを選んで嵌着するか、あるいはシャワーノズル(19)の支持枠(20)の両側面の縦突条(20D) または縦溝の一つを選んで便器本体(2) のシャワー取付け凹部(17)の両側壁の縦溝(28)または縦突条に嵌着する。
このようにシャワーノズル側の縦突条(20D) または縦溝および／または便器本体(2) 側の縦溝(28)または縦突条を選んで相互嵌着することによって、便器本体(2) にシャワーノズル(19)の前後位置を調節して着脱可能に取付けることが出来る。
【０００６】
【実施例】
本発明を図１〜図７に示す一実施例によって説明すれば、携帯用便器(1) は、上端開口凹部(3) を有する便器本体(2) と、該便器本体(2) の上端開口凹部(3) の上端開口周縁に載置される便座(4) と、該便座(4) の上側から上端開口凹部(3) を覆う蓋(5) と、該便器本体(2) の上面両側に取付けられているアームレスト(6,6) と、該便器本体(2) の上面後部に取付けられているコの字状背もたれ(7) と、該便器本体(2) の上端開口凹部(3) に上方から懸架される把手(8A)付きの便受器(8) とからなる。
【０００７】
図２に示すように、該便器本体(2) の上面両側にはアームレスト取付け凹部(9,9) と、その後側に背もたれ取付け凹部(10.10) とが設けられており、該アームレスト(6) はその支柱(6A,6A) を該便器本体(2) のアームレスト取付け凹部(9,9) に嵌着することによって該便器本体(2) に着脱可能に取付けられ、該背もたれ(7) は図３に示すように両側辺(7A)の下端から突設される角形根端部(11)を該便器本体(2) の背もたれ取付け凹部(10,10) に嵌着することによって該便器本体(2) に着脱可能に取付けられている。
【０００８】
即ち図３に示すように、該背もたれ(7) の根端部(11)の両側には縦突条(12)が設けられ、かつ前後に貫通する係止孔(13)が設けられ、一方便器本体(2) の背もたれ取付け凹部(10)の両側壁には複数条の縦溝(14)が設けられ、該背もたれ(7) の根端部(11)の縦突条(12)を該縦溝(14)のいずれかに嵌合し、固定棒(15)を便器本体(2) の背もたれ取付け凹部(10)後面に貫通する孔(16)を介して該背もたれ(7) の根端部(11)の係止孔(13)に挿通する。このようにして該背もたれ(7) は該便器本体(2) の上面後部に前後位置調節可能かつ着脱可能に取付けられている。
【０００９】
該便器本体(2) の上端開口凹部(3) の上端の後縁には図４に示すようにシャワー取付け凹部(17)が形成されており、該凹部(17)にはシャワーノズル(19)が嵌着される。該シャワーノズル(19)の支持板(20)は図５に示すように前面板(20A) 、外面に縦突条(20D,20D) を有し該前面板(20A) の両側縁から後方に差出される両側板(20B,20B) 、該前面板(20A) の上縁から後方に差出される上面板(20C) 、および前面板(20A) 背面下部から後方へ差出され端部にフランジ(21A) を有する筒状接続部(21)とからなり、該前面板(20A) には図６に示すように該筒状接続部(21)の範囲で複数個のノズル孔(22)が上向きに設けられている。該ノズル孔(22)の上向き角θは２０°〜３０°の範囲に設定することが好ましい。そして該便受器(8) の後端には、シャワーノズル(19)から噴射する温水に干渉しないよう、切欠部(8B)が設けられている。
【００１０】
該支持枠(20)の筒状接続部(21)には図７に示すように前面開口筒状接続部(23)が外側嵌着されており、該前面開口筒状接続部(23)の背面からは水供給ホース(25)の接続短管(24)が差出されており、該接続部(21,23) 間にはシール材(26)が介在され、シャワーノズル(19)の水密性を確保している。
【００１１】
一方凹部(17)の内側には複数枚のコの字形仕切り板(27)が両側の縦溝(28)を介して前後に配設されている。更に該凹部(17)の後縁からはホース溝(29)が形成されている。
【００１２】
上記シャワーノズル(19)は図７に示すように支持枠(20)の両側の縦突条(20D) を便器本体(2) の凹部(17)両側の複数個の縦溝(28)のいずれかに嵌合することによって、該凹部(17)に前後位置調節可能かつ着脱可能に取付けられているが、該シャワーノズル(19)が最前位置に取付けられた場合でも、該シャワーノズル(19)は凹部(17)より前方に突出しないように設置されている。したがって便受器(8) は該シャワーノズル(19)に干渉されることなく着脱出来る。
【００１３】
上記構成において、図１に示す加温器付き温水タンク(30)から差出されている温水供給ホース(25)を便器本体(2) 側面後上部に取付けられているガイド(31)を介して、該シャワーノズル(19)の支持枠(20)の接続部(23)の接続短管(24)に外側嵌着して接続し、該温水タンク(30)から差出されているスイッチ盤(32)を該便器本体(2) 側面前上部に取付けられているブラケット(33)に支持させる。そして該温水タンク(30)の電源コード(34)を電源に接続し、該スイッチ盤(32)のＯＮボタン(36)を押せば、該温水タンク(30)内の温水がホース(25)からシャワーノズル(19)に供給され、ノズル孔(22)から前方上向きに噴出し、使用者の局所を洗浄する。使用者の体形および局所の位置により、該シャワーノズル(19)の支持枠(20)の両側縦突条(20D) を嵌着する便器本体(2) の凹部(17)の縦溝(28)のいずれかを選択して該シャワーノズル(19)の前後位置を調節出来るので、該シャワーノズル(19)から噴出される温水は正確に所定の局所に到達することになる。洗浄後は温水タンク(30)のＯＦＦボタン(37)を押して温水を止める。また該温水タンク(30)にはハンディノズル(35)が着脱可能に取付けられ、介護人が該ハンディノズル(35)によって使用者の局部を洗浄してもよい。
【００１４】
上記実施例の携帯用便器(1) では背もたれ(7) とシャワーノズル(19)の両方が前後位置調節可能になっているので、使用者の着座状態でその体形に対応して使い勝手を良くすることが出来る。
【００１５】
上記実施例以外、本発明ではシャワーノズル側に縦溝を設け、便器本体(2) の凹部(17)側に縦突条を設けてもよい。また縦突条を複数条、縦溝を一条設けてもよい。
本発明の便器およびシャワーノズルは例えば合成樹脂の射出成形によって製造される。
【００１６】
【発明の効果】
本発明では便器に取付けるシャワーノズルの前後位置を調節することが出来るので、使用者の体形、洗浄すべき局所の位置によって該シャワーノズルの位置を適正にして効率良く洗浄することが出来る。
【図面の簡単な説明】
図１〜図７は本発明の一実施例を示すものである。
【図１】便器斜視図
【図２】便器本体斜視図
【図３】背もたれ取付部分説明斜視図
【図４】シャワーノズル取付部分説明斜視図
【図５】シャワーノズル背面分解斜視図
【図６】シャワーノズル側断面図
【図７】シャワーノズル取付け状態縦断面図
【図８】従来例の説明図
【符号の説明】
1       シャワー付便器（携帯用便器）
2       便器本体
3       上端開口凹部
8       便受器
17      シャワー取付け凹部
19      シャワーノズル
20      支持枠
20A     前面板
20D     縦突条
21      筒状接続部
22      ノズル孔
23      開口筒状接続部
24      接続短管
25      ホース
26      シール材
28      縦溝
【図１】
0004393666.tif 000002
【図２】
0004393666.tif 000003
【図３】
0004393666.tif 000004
【図４】
0004393666.tif 000005
【図５】
0004393666.tif 000006
【図６】
0004393666.tif 000007
【図７】
0004393666.tif 000008
【図８】
0004393666.tif 000009